(57)【要約】【課題】電源投入時における初期の圧力損失から変化しても換気風量を一定に制御することを目的とする。【解決手段】換気風量制御をＰＷＭ制御するＤＣモータを搭載した送風機と、ＤＣモータの回転数検出手段と、送風機の風量指示手段と、この風量指示手段によって指示された風量で運転するためのＤＣモータの回転数を記憶する記憶手段を備え、回転数検出手段によって検出された運転回転数を記憶手段に記憶された回転数と同回転数になるようにＰＷＭ制御信号のデューティ％を制御する制御手段を有する換気風量制御装置において、換気風量制御装置は複数の部屋の換気に対応した吸気口と、それぞれ対応した複数の前記送風機と、複数の送風機に対して一つの排気口を共有し、各送風機はそれぞれ独立に換気風量制御を行う。【選択図】　図１
2004092926.tif 000002
【特許請求の範囲】
【請求項１】
換気風量制御をＰＷＭ（パルス幅変調）制御信号のデューティ変化でモータの回転数を制御するＤＣモータを搭載した送風機と、前記ＤＣモータの運転回転数を検出する回転数検出手段と、前記送風機の運転風量を指示する風量指示手段と、この風量指示手段によって指示された風量で運転するための前記ＤＣモータの各ＰＷＭ制御信号のデューティ％での回転数を記憶する記憶手段を備え、前記回転数検出手段によって検出された運転回転数を前記記憶手段に予め記憶された回転数と同回転数になるように前記ＰＷＭ制御信号のデューティ％を制御する制御手段を有する換気風量制御装置において、前記換気風量制御装置は複数の部屋の換気に対応した吸気口と、前記吸気口にそれぞれ対応した複数の前記送風機と、複数の前記送風機に対して一つの排気口を共有し、前記複数の送風機はそれぞれ独立に換気風量制御を行っていることを特徴とする換気風量制御装置。
【請求項２】
前記風量指示手段によって指示された風量で運転するための前記ＤＣモータの各ＰＷＭ制御信号のデューティ％での回転数の測定は、前記複数の送風機を実際に設置する構成とし、回転数を測定する送風機以外の風路を塞ぎ、圧力損失を変化させて測定したことを特徴とする請求項１記載の換気風量制御装置。
【請求項３】
前記制御手段は、前記複数の前記送風機の駆動時、一つの送風機の運転風量を増加することにより排気ダクトの静圧値が、他の送風機の風量０の静圧値よりも高くなる運転風量近傍において、他の送風機の運転回転数を増加させる幅を通常運転時より大きくする制御モードを有することを特徴とする請求項１または２記載の換気風量制御装置。
【請求項４】
換気風量制御をＰＷＭ（パルス幅変調）制御信号のデューティ変化でモータの回転数を制御するＤＣモータを搭載した送風機と、前記ＤＣモータの運転回転数を検出する回転数検出手段と、前記送風機の運転風量を指示する風量指示手段と、この風量指示手段によって指示された風量で運転するための前記ＤＣモータの各ＰＷＭ制御信号のデューティ％での回転数を記憶する記憶手段を備え、前記回転数検出手段によって検出された運転回転数を前記記憶手段に予め記憶された回転数と同回転数になるように前記ＰＷＭ制御信号のデューティ％を制御する制御手段を有する換気風量制御装置において、前記換気風量制御装置は、複数の部屋の換気に対応した吸気口と、前記吸気口に連通する吸い込み通路側のダクトと、前記ダクトの少なくとも１つを開閉可能な開閉ダンパーと、一つの送風機と、排気口とを備えたことを特徴とする換気風量制御装置。
【請求項５】
前記開閉ダンパーは前記吸気口の面積を変化させる可変制御手段を備えたことを特徴とする請求項４記載の換気風量制御装置。
【請求項６】
前記開閉ダンパーによる前記吸気口の面積変化に対応した送風機全体の圧力損失を検出する圧力損失検出手段を備えていることを特徴とする請求項４または５記載の換気風量制御装置。
【請求項７】
前記回転数検出手段によって検出された回転数と前記記憶手段に予め記憶された回転数の差に応じて、ＰＷＭ制御信号のデューティ％を変化させることを特徴とする請求項１から６記載の換気風量制御装置。
【発明の詳細な説明】
【０００１】
【発明の属する技術分野】
本発明は、家庭用換気装置において、吸気・排気ダクトの圧力損失が変化しても必要な換気風量を確保することが可能な換気風量制御装置に関する。
【０００２】
【従来技術】
従来室内換気を行う換気装置には、必要な換気風量を確保することが望まれる。しかしながら換気装置を設置する各現場によってダクトにおける圧力損失がちがうため、現場によって、必要風量を得ることができない場合があった。
【０００３】
この問題を解決しようとして、特開２０００−２８１９２では、ダクトの圧力損失によらず換気風量を一定に制御する手段も提案されている。
この発明は、電源投入時の一定時間ＰＷＭ制御信号のデューティ１００％で運転を行いダクトの圧力損失を自動測定することによって、ダクトの圧力損失に応じたファンの回転数に制御する制御方法である。
【０００４】
【発明が解決しようとする課題】
しかしながら、特開２０００−２８１９２の発明では、電源投入時のダクトの損失抵抗だけを測定するので、換気運転を連続で行っている間に吸い込み通路や排気ダクトにほこりが詰まることによって損失抵抗の増加したりすることがあると必要換気風量を得ることができなかった。
【０００５】
また、複数の換気ファンを有しており、排気ダクトが共通の換気装置においては、単独の換気ファンの運転時と複数の換気ファン運転時では、排気の圧力損失が変化するため、そのたびに圧力損失を測定する必要があり、換気運転を行うまでに時間がかかるという問題を有していた。
【０００６】
また、一つの換気ファンで複数の部屋を換気しようとして、吸い込み通路側のダクトが複数の部屋につながっており、各部屋の換気を単独で止めることができるように吸い込み通路を塞ぐことのできる構成としている換気装置においては、複数の部屋全て換気する場合と、一部換気する場合では、吸い込み側の圧力損失が変化するため、そのたびに圧力損失を測定する必要があり、換気運転を行うまでに時間がかかるという問題を有していた。
【０００７】
本発明は、上記課題を解決するためになされたもので、電源投入時における初期の圧力損失から変化しても換気風量を一定に制御することを目的とする。
【０００８】
【課題を解決するための手段】
上記課題を解決するためになされた本発明においては、請求項１記載のように、換気風量制御をＰＷＭ（パルス幅変調）制御信号のデューティ変化でモータの回転数を制御するＤＣモータを搭載した送風機と、ＤＣモータの運転回転数を検出する回転数検出手段と、送風機の運転風量を指示する風量指示手段と、この風量指示手段によって指示された風量で運転するためのＤＣモータの各ＰＷＭ制御信号のデューティ％での回転数を記憶する記憶手段を備え、回転数検出手段によって検出された運転回転数を記憶手段に予め記憶された回転数と同回転数になるようにＰＷＭ制御信号のデューティ％を制御する制御手段を有する換気風量制御装置において、換気風量制御装置は複数の部屋の換気に対応した吸気口と、吸気口にそれぞれ対応した複数の送風機と、複数の送風機に対して一つの排気口を共有し、複数の送風機はそれぞれ独立に換気風量制御を行っている換気風量制御装置を提供する。
【０００９】
まず、換気風量制御は、回転数検知手段が制御手段の動作より送風機の運転回転数を検出するとともに、予め記憶手段が、風量指示手段によって指示された風量で送風機を運転するための、各ＰＷＭ制御信号のデューティ％での回転数を記憶しているので、デューティ％制御手段が現在のＰＷＭ制御信号のデューティ％での運転回転数と記憶された回転数を比較し、運転回転数が記憶された回転数になるように送風機によるＰＷＭ制御信号のデューティ％を制御するので、ダクトの長さや曲がり状態の違いによる設置場所ごとの圧力損失の変化はもちろんのこと、同じ設置場所においても、ほこりやその他の要因で、初期におけるダクトの圧力損失から変化しても指示された一定風量での送風機の運転が可能となる。
【００１０】
一方、複数の送風機により換気を行い、排気ダクトを共通にすると、複数の送風機を同時運転する場合、それぞれの送風機における換気風量の干渉により、単独の送風機で換気する場合と比較すると、排気の圧力損失は上昇する。つまり、送風機の運転個数やそれぞれの換気風量により排気の圧力損失は変化する。
【００１１】
したがって、上記構成のように、各送風機を独立して換気風量制御することによって、複数のファン同時運転を行う場合と一つのファン単独で運転を行う場合の圧力損失に関わらず換気風量を一定に制御することが可能となる。
【００１２】
また、本発明の好ましい態様においては、請求項２記載のように、風量指示手段によって指示された風量で運転するためのＤＣモータの各ＰＷＭ制御信号のデューティ％での回転数の測定は、複数の送風機を実際に設置する構成とし、回転数を測定する送風機以外の風路を塞ぎ、圧力損失を変化させて測定したことである。
【００１３】
送風機を実際に配置する構成で、回転数を測定することによって、必要な風量に対する回転数がより正確に測定することが可能となり、実際に送風機の換気量をより正確に制御することが可能となる。
【００１４】
また、本発明の好ましい態様においては、請求項３記載のように、制御手段は、複数の送風機の駆動時、一つの送風機の運転風量を増加することによ排気ダクトの静圧値が、他の送風機の風量０の静圧値よりも高くなる運転風量近傍において、他の送風機の運転回転数を増加させる幅を通常運転時より大きくする制御モードを有する構成とすることである。
【００１５】
このような構成とすることにより、一つの送風機の回転数を大幅に上げ、ダクトの静圧値よりも高い静圧値にすることが即座に可能となり、他の送風機に換気された空気が逆流する条件を短時間で回避することが可能となる。
【００１６】
また、本発明においては、請求項４記載のように、換気風量制御をＰＷＭ（パルス幅変調）制御信号のデューティ変化でモータの回転数を制御するＤＣモータを搭載した送風機と、ＤＣモータの運転回転数を検出する回転数検出手段と、送風機の運転風量を指示する風量指示手段と、この風量指示手段によって指示された風量で運転するためのＤＣモータの各ＰＷＭ制御信号のデューティ％での回転数を記憶する記憶手段を備え、回転数検出手段によって検出された運転回転数を記憶手段に予め記憶された回転数と同回転数になるようにＰＷＭ制御信号のデューティ％を制御する制御手段を有する換気風量制御装置において、換気風量制御装置は、複数の部屋の換気に対応した吸気口と、吸気口に連通する吸い込み通路側のダクトと、ダクトの少なくとも１つを開閉可能な開閉ダンパーと、一つの送風機と、排気口とを備えたことを特徴とする換気風量制御装置。
【００１７】
これにより、換気風量制御は、回転数検知手段が制御手段の動作より送風機の運転回転数を検出するとともに、予め記憶手段が、風量指示手段によって指示された風量で送風機を運転するための、各ＰＷＭ制御信号のデューティ％での回転数を記憶しているので、デューティ％制御手段が現在のＰＷＭ制御信号のデューティ％での運転回転数と記憶された回転数を比較し、運転回転数が記憶された回転数になるように送風機によるＰＷＭ制御信号のデューティ％を制御するので、吸い込み通路側と排気側のダクトの長さや曲がり状態の違いによる設置場所ごとの圧力損失の変化はもちろんのこと、同じ設置場所においても、ほこりやその他の要因で、初期におけるダクトの圧力損失から使用している間に圧力損失が変化しても指示された一定風量での送風機の運転が可能となる。
【００１８】
一方、１つの送風機よりなり、吸い込み通路側のダクトが複数の部屋につながっており、各部屋の吸い込み通路の少なくとも一つに吸い込み通路を開閉可能なダンパーを設けた換気装置においては、ダンパーにより特定の吸い込み通路を閉じた場合と全ての吸い込み通路が開いている場合ではそれぞれの換気風量により吸気の圧力損失は変化する。
【００１９】
したがって、上記構成のようにすることによって、ある特定の部屋の換気を止めるが、総換気量は一定にしたい場合、その特定の部屋における吸い込みダンパーを閉じることによってある特定の換気を止めても総換気量は一定に保つことが可能となる。
【００２０】
また、本発明における好ましい態様においては、請求項５記載のように、開閉ダンパーは吸気口の面積を変化させる可変制御手段を備えた構成とすることである。
【００２１】
これにより、総換気量は一定にしたまま、各部屋の吸い込み面積を可変にすると各部屋ごとの吸い込み側の圧力損失が変化する。つまり上記構成とすることによって、総換気量を一定にしたまま、各部屋ごとの換気量の割合を変化させることが可能となる。
【００２２】
また、本発明の好ましい態様においては、請求項６記載のように、開閉ダンパーによる吸い込み通路の面積変化に対応した送風機全体の圧力損失を検出する圧力損失検出手段を有している構成とすることである。
【００２３】
このような構成とすることにより、開閉ダンパーの故障や、異物混入などによる開閉ダンパーが機能しなくなったとき、以上を検出することが可能となる。
【００２４】
また、本発明における好ましい態様においては、請求項７記載のように、回転数検出手段によって検出された回転数と記憶手段に記憶された回転数の差に応じて、ＰＷＭ制御信号のデューティ％を変化させた構成とすることである。
【００２５】
このような構成とすることにより、回転数検出手段によって検出された回転数と記憶手段に記憶された回転数の差に応じて、ＰＷＭ制御信号のデューティ％を変化させるので、回転数差が大きい場合はＰＷＭ制御信号のデューティ％を大きく変化させ、回転数差が小さい場合はＰＷＭ制御信号のデューティ％を小さく変化させ、指示風量を調節するまでの時間を短縮させることが可能となる。
【００２６】
【発明の実施の形態】
以下に本発明実施例を図面を用いて説明する。
図１は本発明の第一の実施例の構成図であり、送風機１は、ＤＣモータ２を駆動源にしており、空間５に設置され、送風機３は、ＤＣモータ４を駆動源にしており、空間５とは別の空間６に設置されている。空間５及び６の汚れた空気はそれぞれの空間に設置された、送風機１及び３によって共通の排気ダクト７を通り建物の壁８を通過させ室外へ導かれている。
【００２７】
送風機１に搭載されているＤＣモータ２の制御手段９の構成を図２を用いて説明する。
ＤＣモータ２はＰＷＭ（パルス幅変調）制御信号のデューティ％制御手段１０によって出力されたＰＷＭ制御信号のデューティ％でモータの回転数を制御されており、その制御状態により、回転数検出手段１３がＤＣモータ２の回転数を検出している。
また、記憶手段１１には、予め決められた風量を実現するための、ＤＣモータ２に対する各ＰＷＭ制御信号のデューティ％が記憶されており、風量指示手段１２で運転風量が指示されると、指示された風量と、現在のＤＣモータ２に対するＰＷＭ制御信号のデューティ％から、指示された風量で送風機１を運転するための回転数を記憶手段１１から選定し、その選定した回転数と回転数検出手段１３が検出した現在の運転回転数を比較し、運転回転数が選定回転数と同一となるよう、ＤＣモータ２に対するＰＷＭ制御信号のデューティ％を制御手段１０により制御する。
【００２８】
次に記憶手段１１に記憶させる内容について説明する。
図３のように、送風機１を運転し、ＤＣモータ２におけるＰＷＭ制御信号のデューティ％をＸａ％、Ｘｂ％、Ｘｃ％…と連続的に変化させ、各風量Ｑ１、Ｑ２、Ｑ３…、各ＰＷＭ制御信号のデューティ％をＸａ％、Ｘｂ％、Ｘｃ％…における回転数Ｎ１ａ，Ｎ１ｂ，Ｎ１ｃ…、Ｎ２ａ，Ｎ２ｂ，Ｎ２ｃ…、Ｎ３ａ，Ｎ３ｂ，Ｎ３ｃ…、…を測定しておき、各風量における必要回転数として記憶手段１１に記憶させておく。
また、この必要回転数を測定は、実際に配置する構成において行うことが望ましい。
【００２９】
送風機１が単独で運転している場合の実際の制御を図４を用いて説明する。
風量指示手段によってＱｍの風量で運転を指示されると、予め決められたＰＷＭ制御信号のデューティ％値であるＸｃ％で運転を開始する。そうすると、実際の設置場所の吸気側、排気側を合わせた圧力損失Ｌにより送風機１は、回転数Ｎｃで回転する。一方ＰＷＭ制御信号のデューティ％値がＸｃ％の時の風量ＱｍにおけるＤＣモータ２の必要回転数はＮｍｃである。今Ｎｃ＜Ｎｍｃの場合、図４からわかるように送風機１はＱｍよりも多い風量で運転している。従って、制御手段９によってＰＷＭ制御信号のデューティ％を下げる必要があり、ＰＷＭ制御信号のデューティ％をＸｅ％とする。ＰＷＭ制御信号のデューティ％をＸｅ％とした場合の実際の回転数Ｎｅ、風量Ｑｍに必要な回転数Ｎｍｅは図４より、Ｎｅ＞Ｎｍｅとなり、送風機をＱｍよりも少ない風量で運転している。従って、制御手段９によってＰＷＭ制御信号のデューティ％を下げる必要があり、ＰＷＭ制御信号のデューティ％をＸｅ％よりも高く、Ｘｃ％よりも低いＸｄ％とする。ＰＷＭ制御信号のデューティ％をＸｄ％で運転し、送風機の回転数が風量Ｑｍでの必要回転数Ｎｍｄと一致すると、風量Ｑｍで運転しているのでＰＷＭ制御信号のデューティ％をＸｄ％での運転をキープする。また、いろいろな現場で圧力損失が変化する場合はこの限りではなく、数回にわたってＰＷＭ制御信号のデューティ％を変化する必要がある場合があり、ＰＷＭ制御信号のデューティ％の変化の幅ははじめ大きくて徐々に小さくすることによって、指示風量に徐々に近づけている。
【００３０】
図９に上記制御の流れをフローチャートに示している。初期においてＰＷＭ制御信号のデューティ％出力を行い、回転数検出、風量指示信号取り込み、メモリ回転数検索を行い、回転数を比較する。比較の結果、回転数大または小の場合は、回転数差に応じたデューティ％アップ幅を決定し、デューティ％アップ、またはダウン信号を出力し、回転数検出に戻る。回転数が同じ場合はそのまま回転数検出に戻る。
【００３１】
また、送風機３に搭載されているＤＣモータ４もＤＣモータ２と同じ制御構成となっており、各空間５及び６に応じた風量に対する各ＰＷＭ制御信号のデューティ％が記憶手段に記憶されており、ＤＣモータ２及び４はそれぞれ独立して制御されており、それぞれの運転の影響を受けることがない。
【００３２】
送風機１及び送風機３を運転させた場合について、図５から図７に基づいて説明する。
図５は、風量制御手段により送風機の換気風量がＱ１となるように運転制御されている場合の静圧―風量のグラフであり、送風機はＮ１の回転数のとき、風量Ｑ１となっている。このときの静圧はＰ１である。
【００３３】
次に、図５の状態で送風機３を運転し、送風機３の風量がＱ２となるように運転制御する場合を図６に示すと、送風機３は、回転数Ｎ２で、静圧Ｐ２のとき送風機の換気風量は一旦Ｑ２となる。
【００３４】
静圧Ｐ２では、送風機１の回転数Ｎ１では、風量が不足しているため、制御手段により、回転数を上げる。
【００３５】
２つの送風機の総風量が増加すると配管での抵抗、即ち圧力損失が増加するため、送風機２においても回転数をＮ２より増加させる必要がある。
【００３６】
送風機１，送風機３がそれぞれ独立で圧力損失の増加に伴い回転数を制御することによって、図７のように、それぞれの指示風量Ｑ１，Ｑ２に制御することが可能となる。
２つの送風機１、３の総風量が増加しているため、そのときの静圧Ｐ３はＰ２よりも高くなっている。
【００３７】
また、図６のように２つの送風機１、３の排気ダクトが同じため、静圧Ｐ２が送風機１の回転数Ｎ１の場合の風量０での静圧Ｐ０よりも高くなる場合がある。
この場合、送風機１に送風機３から排気された空気が逆流している。
【００３８】
この場合のように排気された空気が逆流する条件となる場合は、制御手段９により、送風機１の回転数を増加させる幅を通常よりも大きくすることによって、即座に送風機１への逆流を防ぐように制御されている。
【００３９】
図８は同じ静圧―風量特性を持つ２つの送風機１、３を示す図である。
図７の説明までは、送風機１および送風機３はそれぞれ換気能力の違う送風機であり、それぞれ静圧―風量特性が違うが、図８のように同じ静圧―風量特性を持つ送風機の場合においても上記と同様な制御によりそれぞれの送風機の換気風量を一定に制御することが可能となる。
【００４０】
換気能力の違う送風機を使用する場合と異なる点は、静圧―風量特性が同じ送風機の場合は、同回転数にすると、風量０での静圧値が等しいため、図６のように一方の送風機に換気された空気が逆流する場合、逆流している方の送風機の回転数を一旦他方と同じにするように制御することによって、換気された空気の逆流を確実に防ぐことが可能となる。
【００４１】
従って、図８のように同じ静圧―風量特性をもつ送風機の場合は、送風機の単独運転中から複数の送風機の運転に切り換える場合などは、運転切り換え時に一旦同回転数にするよう制御することによって、運転切り換え初期の逆流を防ぐように制御することが望ましい。
【００４２】
第二の実施例について図面を用いて説明する。図１０は本発明の第二の実施例の構成図であり、送風機２１は、ＤＣモータ２２を駆動源にしており、送風機２１の吸い込み通路は空間２５と空間２６に連通された吸い込みダクト２４より空気を吸い込んでいる。空間２５の吸い込みダクト途中に吸い込み通路の開閉が可能な電動ダンパー２３設置されている。この電動ダンパー２３は、その停止位置により吸い込みダクトの面積を変えることができ、空間２５の吸い込み量を可変とすることができる。
【００４３】
なお本実施例においては、図１１に示す位置にダンパーが停止する場合は、空間２５からの換気運転停止、図１２に示す位置にダンパーが停止する場合は、空間２５からの換気運転強、図１３に示す位置にダンパーが停止する場合は、空間２５からの換気運転弱とする。
【００４４】
空間２５及び２６の汚れた空気はそれぞれの送風機２１により吸い込みダクト２４に導かれ吸い込まれ、送風機２１によって排気ダクト２７を通り建物の壁２８を通過させ室外へ導かれている。
【００４５】
送風機２１に搭載されているＤＣモータ２２の制御の構成および、換気風量制御手段は実施例１と同じであるので省略する。
【００４６】
送風機２１を運転させた場合について、図１４から図１６に基づいて説明する。
図１４は、空間２５の換気運転強時の、風量制御手段により送風機の換気風量がＱ１となるように運転制御されている場合の静圧―風量のグラフである。
【００４７】
空間２５の換気運転強時において、吸い込みダクト２４及び排気ダクト２７を含めた圧力損失曲線はＬ１となっており、送風機２１の回転数Ｎ１の時風量はＱ１、静圧はＰ１となっている。なお風量Ｑ１は、空間２５と空間２６を合計した換気風量である。
【００４８】
今、図１４の運転で安定しているとき、電動ダンパー２３により空間２５の換気運転弱にすると、図１５のように空間２５の吸気ダクト面積が狭くなるため、吸気ダクト２４および排気ダクト２７を含めた圧力損失曲線はＬ２となる。
【００４９】
そのため送風機２１の回転数Ｎ１では、図１５のように風量がＱ２に減少してしまうが、換気風量一定制御を行うことによって、図１６のように回転数をＮ２とすることにより換気風量をＱ１とすることが可能となる。
【００５０】
空間２５、空間２６のそれぞれの換気風量について説明する。
換気風量Ｑ１は空間２５と空間２６を合計したものであり、空間２５の換気運転強のときの空間２５の換気量Ｑａ１、空間２６の換気量Ｑｂ１とし、空間２５の換気運転弱のときの空間２５の換気量Ｑａ２、空間２６の換気量Ｑｂ２とする。
【００５１】
換気風量Ｑ１は空間２５と空間２６を合計したものであるので、Ｑ１＝Ｑａ１＋Ｑｂ１＝Ｑａ２＋Ｑｂ２であり、なお且つＱａ１＞Ｑａ２、Ｑｂ１＞Ｑｂ２である。つまり、空間２５と空間２６を合計した換気風量Ｑ１で一定になるように制御されているので、空間２５の換気風量が減少すると空間２６の換気風量が増加し、逆に空間２５の換気風量が増加すると空間２６の換気風量が減少する。
【００５２】
つまり、２つの空間の総換気量は一定に保ちたいが、各空間の換気風量の割合を変化させたい場合に上記構成での制御は好適である。
【００５３】
上記実施例では、空間２５の吸い込みダクトにのみ電動ダンパー２３を設けた構成としたが、空間２６の吸い込みダクト若しくは空間２６の吸い込みダクトにも電動ダンパーを設け、双方のダンパーの動きによって、各空間の換気風量の割合を変化させても良い。
【００５４】
また、本実施例における空間２５における換気運転強、換気運転弱および換気運転停止における送風機２１における圧力損失検出手段を設けることにより、各運転モードにおける圧力損失値と比較し、電動ダンパー２１が正常に運転しているかどうかの確認を行うこともできる。
【００５５】
【発明の効果】
上記のように、本発明によれば、電源投入時における初期の圧力損失から変化しても換気風量を一定に制御することが可能となる。
【図面の簡単な説明】
【図１】本発明の第一の実施例における構成図
【図２】本発明の第一の実施例における制御の構成図
【図３】本発明の第一の実施例における送風機１における静圧−風量グラフ
【図４】本発明の第一の実施例における運転風量と静圧と回転数の関係を示すグラフ
【図５】本発明の第一の実施例における送風機１のみ運転時の静圧−風量グラフ
【図６】本発明の第一の実施例における送風機３運転初期における静圧−風量グラフ
【図７】本発明の第一の実施例における送風機１と送風機３の運転時における静圧−風量グラフ
【図８】本発明の第一の実施例において同じ静圧−風量特性の送風機にした場合の構成図
【図９】本発明の第一の実施例における制御のフローチャート
【図１０】本発明の第二の実施例における構成図
【図１１】本発明の第二の実施例における空間２５の換気運転停止のダンパー位置を表す図
【図１２】本発明の第二の実施例における空間２５の換気運転強のダンパー位置を表す図
【図１３】本発明の第二の実施例における空間２５の換気運転弱のダンパー位置を表す図
【図１４】本発明の第二の実施例における空間２５の換気運転強時の静圧−風量グラフ
【図１５】本発明の第二の実施例における空間２５の換気運転弱時初期の静圧−風量グラフ
【図１６】本発明の第二の実施例における空間２５の換気運転弱時の安定した後の静圧−風量グラフ
【符号の説明】
１…送風機
２…ＤＣモータ
３、２１…送風機
４、２２…ＤＣモータ
５、６、２５、２６…空間
７…排気ダクト
８…壁
９…制御手段
１０…ＰＷＭ制御信号のデューティ％制御手段
１１…記憶手段
１２…風量指示手段
１３…回転数検知手段
２３…電動ダンパー
２４…吸い込みダクト
２７…排気ダクト
２８…壁
【図１】
2004092926.tif 000003
【図２】
2004092926.tif 000004
【図３】
2004092926.tif 000005
【図４】
2004092926.tif 000006
【図５】
2004092926.tif 000007
【図６】
2004092926.tif 000008
【図７】
2004092926.tif 000009
【図８】
2004092926.tif 000010
【図９】
2004092926.tif 000011
【図１０】
2004092926.tif 000012
【図１１】
2004092926.tif 000013
【図１２】
2004092926.tif 000014
【図１３】
2004092926.tif 000015
【図１４】
2004092926.tif 000016
【図１５】
2004092926.tif 000017
【図１６】
2004092926.tif 000018